(57)【要約】【課題】発光による光源の温度上昇を抑える事で、照明装置の連続して行える発光回数の上昇を図る。【解決手段】本照明装置は、光源１と、光源１からの閃光を照射対象へ反射する反射傘２を有し、少なくとも光源１と反射傘２の一方を移動して光源１と反射傘２との光軸Ｋ上での距離を可変する構成を有し、光源１の温度情報を取得する手段を有し、光源１の温度予測結果があらかじめ決められた規定値温度を上回る場合に、または照明装置が電源オフ指令、スタンバイ状態などの休止状態に移行する指令を受けた場合に、光源１と反射傘２の距離を近づけることで光源１の温度を低下させる。 【選択図】図１
2015230424.tif 000002
【特許請求の範囲】
【請求項１】
閃光を発する光源と、その光源からの閃光を照射対象へ反射する反射傘を有し、前記光源と前記反射傘の少なくとも一方を移動して前記光源と前記反射傘との光軸上での距離を可変することで照射範囲を変更できる構成を有しする照明装置において、
前記光源の温度情報を取得する手段をさらに備え有し、該温度情報取得手段によって取得された温度情報から、該光源の温度を予測し、その予測結果があらかじめ決められた規定値温度を上回る場合に、前記光源と前記反射傘または反射傘の一部を近接させることにより，該光源の熱を放熱させ温度上昇を防ぐ動作を行う構成を有ことを特徴とする照明装置。
【請求項２】
前記光源の温度情報取得手段は、前記光源の近傍に設置された温度検出手段によって取得された温度から、該光源の温度を予測することを特徴とする、請求項１に記載の照明装置。
【請求項３】
前記光源の温度情報取得手段は、前記光源の発光回数、発光間隔ならびに発光光量を記憶させる記憶部と，それらの記憶された値から演算して該光源の温度を予測する演算部から構成されることを特徴とする、請求項１に記載の照明装置。
【請求項４】
前記光源と前記反射傘は，少なくともその一方が光軸上を移動して近接させることを特徴とする請求項１に記載の照明装置。
【請求項５】
前記光源と前記反射傘は，少なくともその一方が光軸上以外を移動して近接させることを特徴とする請求項１に記載の照明装置。
【請求項６】
前記反射傘は複数の分割可能な部材から構成されており、その一部が前記光源に近接することを特徴とする請求項１に記載の照明装置。
【請求項７】
照明装置が電源オフ指令、スタンバイ状態などの休止状態に入る指令を受けた場合には前記光源の温度に関係なく，前記光源と前記反射傘が近接することを特徴とする請求項１乃至請求項６のいずれか一項に記載のストロボ装置。
【請求項８】
請求項１乃至請求項７のいずれか一項に記載の照明装置を搭載したことを特徴とする撮像装置。
【発明の詳細な説明】
【技術分野】
【０００１】
本発明は、閃光を発する光源を備えた照明装置及びこの照明装置を備えた撮像装置に関し、大型化とコストアップを抑えつつ、光源の温度上昇を未然に防ぐことで、連続して発光できる回数を向上させることを可能にしたものである。
【背景技術】
【０００２】
従来より、写真撮影用の照明装置の一つとして照射角可変閃光装置が種々提供されている（例えば、特許文献１参照）。この種の照明装置の一例として図５（ａ）に示すように、光軸Ｋ上において反射傘１１から距離Ｌｍに位置する光源１０の位置１０ａを、撮影時に使用するカメラのレンズの撮影画角に応じて、図５（ｂ）に示すように、光軸Ｋ上において反射傘１１から距離Ｌｎの位置まで移動することにより、光源１０と反射傘１１の位置関係を変化させて、照射対象に対する照射角度を変化させているものが知られている。
【０００３】
光源１０には閃光放電管やＬＥＤ（Ｌｉｇｈｔ  Ｅｍｉｔｔｉｎｇ  Ｄｉｏｄｅ；以下、「ＬＥＤ」と記す。）などを使用するが、いずれにしても光源１０は連続して発光した場合は発熱することが一般的である。図５（ａ）に示すように、光軸Ｋ上において光源１０と反射傘１１が距離Ｌｍのように比較的近いところに位置する場合には、光源１０の温度は反射傘１１に伝わりやすく、光源１０の温度上昇がある程度抑えられる。しかし、図５（ｂ）に示すように、光軸Ｋ上において光源１０と反射傘１１が距離Ｌｎのように比較的遠いところに位置する場合には、光源１０の温度は反射傘１１に伝わりにくく、光源１０は温度上昇しやすくなる。特に、閃光放電管によって連続して発光を行った場合、閃光放電管の温度は著しく上昇することが知られている。
閃光放電管の温度が上昇すると、閃光放電管の電極とリード線を接続する半田が溶解し、断線に至ることや閃光放電管のインピーダンスが変化することによって閃光放電管が発光しない、所謂発光欠けを発生させることなどがある。また、ＬＥＤなどの光源を使用した場合においても、発光時はＬＥＤ素子そのものが発熱するため、発熱による素子破壊を防ぐために連続して発光できる発光量と発光回数は限られる。
【０００４】
上記、光源の温度上昇を防ぐ方法として、冷却機構を備えたストロボ装置などが提供されている（例えば、特許文献２参照）。図６に示すように排気ファン１２を閃光放電管１０の近傍に設置し、閃光放電管１０の発光時による発熱を外部に逃がすようにしている。
【先行技術文献】
【特許文献】
【０００５】
【特許文献１】特開昭５５−１２９３２６号公報
【特許文献２】特開２０１０−１９７５８３号公報
【発明の概要】
【発明が解決しようとする課題】
【０００６】
しかし、光源の温度上昇を防ぐため、図６に示す排気ファン１２のような冷却機構を照明装置に備えることはサイズが大きくなることやコストアップに繋がる要因となる。そこで、本発明ではサイズの大型化、またはコストアップを抑えつつ、光源の温度上昇を防ぎ、連続して発光できる回数を伸ばすことができるようにした照明装置を提供することを課題とする。
【課題を解決するための手段】
【０００７】
請求項１に記載の発明に係る照明装置は、閃光を発する光源と、その光源からの閃光を照射対象へ反射する反射傘を有し、前記光源と前記反射傘の少なくとも一方を移動して前記光源と前記反射傘との光軸上での距離を可変する構成を有し、前記光源の温度情報を取得する手段から取得した該光源の温度予測結果があらかじめ決められた規定値温度を上回る場合に、前記光源と前記反射傘の距離を近づけることで，前記光源を放熱させることを特徴とする。
【０００８】
この構成に拠れば、光源が反射傘に近づくことにより、光源の熱が反射傘に伝わり放熱され，光源の温度上昇が抑えられるため，いわゆる発光欠けを防止する効果が得られる。
【０００９】
また、請求項２に記載の発明に係る照明装置は、光源の温度情報取得手段として，光源近傍に設置した，たとえば熱電対やサーミスタなどの温度検出手段により，光源近傍の温度を測定することで，光源本体の温度を予測することを特徴としている。
この構成に拠れば、光源の温度とあらかじめ規定された規定値温度と比較をより正確に行うことができる，という効果が得られる。
また，請求項３の記載の発明に係る照明装置は，光源の発光回数、発光間隔，発光時間などのデータから，光源の温度を予測することを特徴としている。
この構成によれば，光源近傍に別の温度測定に関わる部品を配置せずに，光源の温度を予測できるため，より簡易な構成にできるという効果が得られる。
また請求項４に記載の発明に係る照明装置は、光源近傍の温度があらかじめ規定された規定値温度を上回り，放熱が必要となった場合、反射傘または光源の少なくともいずれか一方が光軸上を移動することにより，反射傘と光源を近接させて，光源の放熱を行うことを特徴としている。
この構成に拠れば，光源または反射傘の移動は，照射角の変更のための機構と兼用させることができ，放熱のための特別な構成を追加する必要がないという効果を有する。
また請求項５に記載の発明に係る照明装置は，光源近傍の温度があらかじめ規定された規定値温度を上回り，放熱が必要となった場合，光源または反射傘の少なくともいずれか一方の移動距離が光軸上を移動する場合よりも短くなるように構成されることを特徴とする。
この構成によれば，放熱が必要と判断されてから，放熱を開始されるまでの時間を短くすることが出来る，という効果が得られる。
また請求項６に記載の発明に係る照明装置は，反射傘の一部が分割されるように構成され、光源近傍の温度があらかじめ規定された規定値温度を上回り，放熱が必要となった場合に，分割された反射傘の一部が光源に近づくことにより放熱を行うことを特徴とする。
この構成に拠れば，反射傘全体を移動させることなく光源の放熱が可能となる効果が得られる。
また請求項７に記載の発明に係る照明装置は，照明装置の電源がオフとなっているとき，あるいは，スタンバイ状態となっているときには、光源近傍の温度に関わらず，前記光源と反射傘が近接する状態に保たれることを特徴とする。
この構成に拠れば、スタンバイ状態を検知すると同時に速やかに放熱が行われることで，撮影再開時に確実に発光させることができるという効果が得られる。
また請求項８に記載の発明は、上記いずれかの照明装置を搭載した撮像装置であり、この構成によれば、光源を冷却するための冷却装置などが必要ではなく，その結果サイズの大型化、コストアップを抑えつつ被写体を的確に照明した写真撮影行うことができる。
【発明の効果】
【００１０】
本発明によれば、サイズの大型化、コストアップを抑えつつ光源の温度上昇を抑えることで発光の連続回数を伸ばすことが可能となる。
【図面の簡単な説明】
【００１１】
【図１】本発明に係る照明装置の第１実施形態を示す図
【図２】本発明に係る照明装置の第２実施形態を示す図
【図３】本発明に係る照明装置の動作を示すチャート
【図４】本発明に係る撮像装置の一例を示す斜視図
【図５】従来の照明装置を示す図
【図６】従来の照明装置を示す図
【発明を実施するための形態】
【００１２】
本発明に係る照明装置の第１実施形態について、図１を参酌しながら説明する。図１は第１実施形態を示す反射傘部分の構成図であり、図１（ａ）はその水平方向の断面図を平面図として示しており、図１（ｂ）は垂直方向の断面図を側面図として示す図である。
第１実施形態の照明装置は、図１に示すように閃光を発する光源１と光源１からの閃光を照射対象へ反射する反射傘２と温度検出デバイス４を備え、温度検出デバイス４は光源温度の予測演算を行うための制御部（図示しない）に接続されている。また、光源１は光軸Ｋ上での位置を可変できる構成を有し、制御部は光源１の位置を検出することが可能である。
図１において、光源１と反射傘２の距離Ｌａで示したときの光源１の位置１ａは望遠撮影を行うテレ時における際の配置を示している。また、光源１と反射傘２の距離Ｌｂで示したときの光源１の位置１ｂは広角撮影を行うワイド時における際の配置を示している。
ワイド時、すなわち光源１の位置が１ｂにあり、光源１と反射傘２の距離がＬｂにおける本実施形態の動作は、光源１に発光指令があったときには発光動作を行い、温度検出デバイス４は光源温度の予測演算を行うための制御部に値を出力する。すなわち制御部では温度検出デバイス４の出力値から光源温度を予測演算する。
なお、照明装置は半導体メモリなどの記憶装置（図示しない）を備えており、光源１が過去に行った発光の発光光量、発光間隔などのデータを記憶することが可能であり、記憶装置に入力された各種データから現在の光源１の温度上昇を予測演算することも可能である。
光源１の温度が予測演算された後、制御部ではあらかじめ決められた規定値をその予測演算された光源１の温度が超えているか判別を行う。予測演算された結果が規定値に対して低いと判別された場合には光源１はワイド時の位置、すなわち光源１と反射傘２の距離を示すＬｂとなる１ｂの位置で待機する。
光源１の予測演算された温度結果が規定値に対して高い場合には光源１を１ａの位置まで移動させる。すなわち、光源１と反射傘２の距離はＬｂからＬａと短くなることとなる。よって、光源１の温度は反射傘２へと伝わりやすくなり、光源１の温度は低下する。次回、光源１の発光指示までに光源１の温度が必要なだけ放熱できたと判断した場合は光源１を１ａの位置から１ｂの位置まで移動させる。
次にテレ時、すなわち光源１の位置が１ａのときの動作を説明する。光源１が１ａの位置である場合には光源１と反射傘２の距離はＬａであり、発光指示前から既に光源１と反射傘２の距離が近い状態である。
【００１３】
このとき、発光指示を受けて光源１を発光させるが、既に光源１は反射傘２と距離が近いため、光源１の温度は反射傘２に伝わりやすい状態となっている。よって、光源１は移動させて放熱動作を行う必要がなく、光源１の温度を予測演算する必要はなくなる。
【００１４】
また、照明装置に対して発光指令がなく、電源オフ或いはスタンバイなどの休止状態への移行指令があった場合には光源１の位置を１ａへと移動させておくことで、ユーザーによって電源オン状態、スタンバイ解除を行うまでに光源１の温度低下を促進させておき、電源オン、或いはスタンバイ解除状態となった時に連続発光可能な回数を増加させることができる。
【００１５】
なお放熱部材としても機能する反射傘の材質には特に制限を設けないが、熱伝導率が比較的高い金属製であることが望ましい。
【００１６】
本発明に係る照明装置の第２実施形態について、図２を参酌しながら説明する。図２（ａ）は第２実施形態を示す反射傘部分の構成図であり垂直方向の断面図を側面図として示している。ただし、本発明に係る照明装置の第１実施形態と同一部分は、同一符号を付して説明する。
第２実施形態の照明装置は、図２（ａ）に示すように閃光を発する光源１と光源１からの閃光を照射対象へ反射する反射傘２と、温度検出デバイス４を備え、温度検出デバイス４は光源温度の予測演算を行うための制御部（図示しない）に接続されている。また、光源１は光軸Ｋ上での位置を可変できる構成を有し、制御部は光源１の位置を検出することが可能である。また、駆動反射傘部品３を有し、駆動反射傘部品３は３ａから３ｂの位置まで移動できる構成を有し、３ａの位置にあるときは光源１を発光させたときに光源１からの閃光を照射対象へ反射する反射傘としての機能を備えている。また、制御部は駆動反射傘部品３の位置を検出することが可能である。
図２（ａ）において、光源１と反射傘２の距離Ｌｃで示したときの光源１の位置１ｃは望遠撮影を行うテレ時における際の配置を示している。また、光源１と反射傘２の距離Ｌｄで示したときの光源１の位置１ｄは広角撮影を行うワイド時における際の配置を示している。
なお、駆動反射傘部品３は光源１を発光させる前、すなわち光源１が温度上昇をしていないときにはテレ時、ワイド時のいずれの状態においても３ａの位置にある。
【００１７】
ワイド時、すなわち光源１の位置が１ｄにあり、光源１と反射傘２の距離がＬｄにおける本実施形態の動作は、光源１に発光指令があったときには発光動作を行い、温度検出デバイス４は光源温度の予測演算を行うための制御部に値を出力する。すなわち制御部では温度検出デバイス４の出力値から光源温度を予測演算する。
なお、照明装置は半導体メモリなどの記憶装置（図示しない）を備えており、光源１が過去に行った発光光量、発光間隔などのデータを記憶することが可能であり、記憶装置に入力された各種データから現在の光源１の温度上昇を予測演算することも可能である。
光源１の温度が予測演算された後、制御部ではあらかじめ決められた規定値をその予測演算された光源１の温度が超えているか判別を行う。予測演算された光源１の温度が規定値に対して低い場合には駆動反射傘部品３は３ａの位置を維持する。すなわち、光源１と駆動反射傘部品３はＬｏの距離を保つこととなる。
【００１８】
光源１の予測演算された温度結果が規定値に対して高い場合には駆動反射傘部品３は３ｂの位置へ移動する。すなわち、光源１と駆動反射傘部品３の距離はＬｏからＬｐへと近づくことになる。
よって、光源１がもつ温度は駆動反射傘部品３へと伝わりやすくなり、光源１の温度は低下する。次回、光源１の発光指示までに光源１がもつ温度が必要なだけ放熱できたと判断した場合は駆動反射傘部品３を３ｂの位置から３ａの位置まで移動させる。
【００１９】
次にテレ時、すなわち光源１の位置が１ｃにあるときの動作を説明する。光源１が１ｃの位置にある場合には光源１と反射傘２の距離はＬｃであり、発光指示前から既に光源１と反射傘２の距離が近い状態である。
このとき、発光指示を受けて光源１を発光させるが、既に光源１は反射傘２と距離が近いため、光源１がもつ温度は反射傘２に伝わりやすい状態となっている。よって、駆動反射傘部品３は移動させて放熱動作を行う必要がなく、光源１の温度を予測演算する必要はなくなる。
【００２０】
なお駆動反射傘部品を持つ反射傘としては図２（ｂ）のような構成も可能であり、この場合においても上記実施例を同じ動作で同じ効果を得ることが出来る。
【００２１】
また、照明装置に対して発光指令がなく、電源オフ或いは休止状態への移行指令があった場合には光源１を１ｄの位置に移動させ、かつ駆動反射傘部品３の位置を３ｂへと移動させておく、或いは光源１を１ｃの位置に移動させておくことで、ユーザーによって電源オン状態、スタンバイ解除を行うまでに光源１の温度低下を促進させておき、次回の連続発光可能な回数を増加させることができる。
【００２２】
なお、図３は第１実施形態及び第２実施形態の動作を示したチャートである。
【００２３】
以上のような第１実施形態及び第２実施形態の照明装置は、図４に示すように、撮像装置２６に取り付けられたストロボ装置２４として使用され、又は、撮像装置２６に内蔵されたストロボ装置２５として使用される。このストロボ装置２４、２５は光源の温度上昇を抑える構成を有するため、撮像装置２６は、連続して的確に写真撮影することができるものになっている。
【００２４】
なお、本発明の照明装置は、上記実施形態に限定されるものではなく、本発明の要旨を逸脱しない範囲内においては種々変更を加え得ることは勿論である。
【００２５】
また上記実施形態では光源は閃光放電管としたが、閃光あるいは連続光を発する任意の光源に適用することも可能である。
【産業上の利用可能性】
【００２６】
本発明により、発光による光源の温度上昇を抑える事で、連続して行える発光回数を向上させた照明装置を提供できる。
【符号の説明】
【００２７】
１、１０  光源（閃光放電管）
２、１１  反射傘
３  駆動反射傘部品
４  温度検出デバイス
１２  排気ファン
２６  撮像装置
Ｋ．光軸
【図１】
2015230424.tif 000003
【図２】
2015230424.tif 000004
【図３】
2015230424.tif 000005
【図４】
2015230424.tif 000006
【図５】
2015230424.tif 000007
【図６】
2015230424.tif 000008